(57)【特許請求の範囲】
【請求項１】
本体ケーシング（１）の内部に熱交換器（２１）、送風ファン等を備えるとともに、その前面側に吸込口（１ａ）と吹出口（１ｂ）とを備えて成る床置形空気調和機の室内機において、上記本体ケーシング（１）は、室内の壁板（７）に設けた開口（６）から壁（９）内に埋入させる埋入部（３）と、この開口（６）を室内側から覆う前面部（２）と、この前面部（２）と上記埋入部（３）とを接続して壁板（７）に沿って延びる接続部（４）とを有して成り、上記接続部（４）を室内側から壁板（７）に当接させて据え付けるよう成されており、上記開口（６）の周囲の壁板（７）を壁（９）内側から押圧し、上記接続部（４）との間で上記壁板（７）を挟持する押圧部（１８）と、この押圧部（１８）を上記接続部（４）に押圧させる作業が室内側から可能な作業部（１６）とを有する固定手段を備えていることを特徴とする床置形空気調和機の室内機。
【請求項２】
上記埋入部（３）の側面に固定具用穴（２４）を備え、上記固定手段は、その押圧部（１８）を上記固定具用穴（２４）から本体ケーシング（１）外に出没自在となるよう成されていることを特徴とする請求項１の床置形空気調和機の室内機。
【請求項３】
上記固定具用穴（２４）（２５）は、前後に複数個が並設されていることを特徴とする請求項２の床置形空気調和機の室内機。
【請求項４】
上記埋入部（３）に着脱可能に取り付けられるカバー部材（５）を有し、このカバー部材（５）は、上記埋入部（３）に取り付けた状態で上記前面部（２）と連接して成ることを特徴とする請求項１〜請求項３のいずれかの床置形空気調和機の室内機。
【発明の詳細な説明】
【０００１】
【発明の属する技術分野】
この発明は、室内の床面に載置して据え付けるよう成された床置形空気調和機の室内機に関するものである。
【０００２】
【従来の技術】
上記のような床置形空気調和機の室内機の従来例としては、例えば特許第２５７７３７４号公報記載のものを挙げることができる。そして図１０は、上記従来の床置形空気調和機の室内機を室内に据え付けた状態を示す斜視図である。同図に示す室内機は、本体ケーシング４１内の上部と下部とに２つのクロスフローファン（図示せず）が離間して配置され、上記本体ケーシング４１の前面側上部と下部とにそれぞれ吹出口４１ｂ、４１ｂを備える一方、これらに挟まれた前面側中央部に吸込口４１ａを備えている。そして上記室内機を床面４３に載置し、壁４２に沿わせるようにして室内に据え付けるようになっている。
【０００３】
【発明が解決しようとする課題】
しかしながら上記のような床置形空気調和機の室内機では、本体ケーシング４１の全体が居住空間に露出して据え付けられるので、居室の床面積を占有して居住性を低下させるという問題があった。またこの問題を解決するために、室内に棚等を設けてその下方空間に上記室内機を据え付けるようにしたり、壁４２内に上記室内機を埋め込んで室内側からこの室内機を覆い隠す前面グリルを壁４２に取り付ける等もなされていた。しかし棚等の下方空間に室内機を設けるためにはその居室自体を棚等が設けられるのにふさわしい形態としなければならず、大幅な住宅の改造が必要になるという問題があった。また壁４２内に室内機を埋め込んで据え付けるためには据付枠や上記前面グリル等が別途に必要となり、これがコストアップの一因となるという問題があった。
【０００４】
この発明は上記従来の欠点を解決するためになされたものであって、その目的は、大幅な住宅の改造や特別な部材を必要とすることなく、居室の床面積の占有による居住性の低下を回避し得る床置形空気調和機の室内機を提供することにある。
【０００５】
【課題を解決するための手段】
そこで請求項１の床置形空気調和機の室内機は、本体ケーシング１の内部に熱交換器２１、送風ファン等を備えるとともに、その前面側に吸込口１ａと吹出口１ｂとを備えて成る床置形空気調和機の室内機において、上記本体ケーシング１は、室内の壁板７に設けた開口６から壁９内に埋入させる埋入部３と、この開口６を室内側から覆う前面部２と、この前面部２と上記埋入部３とを接続して壁板７に沿って延びる接続部４とを有して成り、上記接続部４を室内側から壁板７に当接させて据え付けるよう成されており、上記開口６の周囲の壁板７を壁９内側から押圧し、上記接続部４との間で上記壁板７を挟持する押圧部１８と、この押圧部１８を上記接続部４に押圧させる作業が室内側から可能な作業部１６とを有する固定手段を備えていることを特徴としている。
【０００６】
上記請求項１の床置形空気調和機の室内機では、埋入部３を壁板７に設けた開口６から壁９内に埋入させているので、居室において占有することとなる床面積を減少させることが可能となる。また上記開口６は前面部２で覆われるので、外観性を向上させるための特別な部材や作業を不要とすることが可能となる。さらに住宅側では壁板７に開口６を設けるだけでよいので、大幅な住宅の改造を不要とすることが可能となる。また、接続部４と壁板７とを当接させて据え付けるようにしているので、特別な部材を用いることなく室内と壁９内との連通を遮断することが可能となる。さらに、上記床置形空気調和機の室内機では、据付枠等の特別な部材を用いることなく据付固定を行うことが可能となる。また据付時における固定手段に対しての作業が室内側から可能となるので、据付作業性を向上させることが可能となる。
【０００７】
請求項２の床置形空気調和機の室内機は、上記埋入部３の側面に固定具用穴２４を備え、上記固定手段は、その押圧部１８を上記固定具用穴２４から本体ケーシング１外に出没自在となるよう成されていることを特徴としている。
【０００８】
上記請求項２の床置形空気調和機の室内機では、埋入部３を壁９内に埋入させるときには固定手段の押圧部１８を固定用具穴２４に没入させ、埋入部３を壁９内に埋入させた後に上記押圧部１８を固定用具穴２４から突出させることにより、埋入部３を円滑に壁９内に埋入させることが可能となる。
【０００９】
請求項３の床置形空気調和機の室内機は、上記固定具用穴２４、２５は、前後に複数個が並設されていることを特徴としている。
【００１０】
上記請求項３の床置形空気調和機の室内機では、壁板７の厚さが異なる場合や壁板７に例えば補強桟等が取り付けられているようなときにも、確実な据付固定を行うことが可能となる。
【００１１】
請求項４の床置形空気調和機の室内機は、上記埋入部３に着脱可能に取り付けられるカバー部材５を有し、このカバー部材５は、上記埋入部３に取り付けた状態で上記前面部２と連接して成ることを特徴としている。
【００１２】
上記請求項４の床置形空気調和機の室内機では、埋入部３にカバー部材５を取り付けることで前面部２とカバー部材５とが連接するようになるので、従来通りの床置形空気調和機の室内機として使用するときの外観性を向上させることが可能となる。
【００１３】
【発明の実施の形態】
次に、この発明の床置形空気調和機の室内機の実施の形態について、図面を参照しつつ詳細に説明する。
【００１４】
（実施形態１）
図１（ａ）は、実施形態１の室内機の斜視図である。この室内機は、本体ケーシング１内の上部と下部とに２つのクロスフローファン（図示せず）を離間して配置し、その前方には熱交換器２１（図５参照）を備えている。そして上記本体ケーシング１の前面側上部と下部とに吹出口１ｂ、１ｂを備える一方、これらに挟まれた前面側中央部に吸込口１ａを備えている。また上記本体ケーシング１の前面側には、図１０に示す従来例の室内機と略同様の正面四辺形状をなす前面部２が構成される一方、この前面部２の後側には、上記前面部２よりもひと回り小さな正面四辺形状をなす埋入部３が構成されている。この埋入部３の奥行き寸法は、約９５ｍｍとしている。そしてこれらの前面部２と埋入部３とは接続部４で接続されるが、この接続部４は本体ケーシング１の前面と略平行に形成されている（同図（ｂ）参照）。つまり上記本体ケーシング１には、その上面及び両側面に、後方側が段落ちとなるような段差が形成されているということである。また上記埋入部３には、正面コ字状のカバー部材５が着脱自在に取り付けられるようになっている。このカバー部材５は、埋入部３の上面及び両側面を覆うように取り付けられるものであって、このカバー部材５を埋入部３に取り付けた状態では、その上面及び両側面が、前面部２の上面及び両側面とそれぞれ連接して成るように形成されている。
【００１５】
図２は、上記のような室内機を室内に据え付けるために設けるボード（壁板）７の開口６を示す図である。同図（ａ）は上記開口６を室内側から見た正面図であって、この開口６は、床面３９に接して上記前面部２の平面形状（破線で示す）よりもひと回り小さく、かつ上記埋入部３を埋入し得る大きさに形成されている。また同図（ｂ）は、上記開口６が設けられたボード７を含んで構成される壁９の断面図である。同図に示すようにこの壁９は例えば間仕切壁であって、上記ボード７と、このボード７から約１００ｍｍ隔てた位置に設けられた他のボード８とから構成されている。そして上記室内機は、図１（ｂ）に示すようにその埋入部３を上記開口６から壁９内に埋入させ、接続部４をボード７に当接させて前面部２で上記開口６を覆うようにして床面３９に据え付けられる。
【００１６】
図３は、上記室内機について、その上部側の固定手段を説明するための断面図である。本体ケーシング１は、主としてその前面部２を構成する前面パネル１１と、主として接続部４及び埋入部３を構成する背面側フレーム１２とを備えているが、この据え付け作業は、上記前面パネル１１を取り外した状態で室内側（同図における左側）から行われるものである。上記背面側フレーム１２の立垂部１２ａは本体ケーシング１の接続部４を構成するものであり、この立垂部１２ａには、スペーサ１３を介して固定板１４が固定ネジ１５で固定されている。また本体ケーシング１の埋入部３を構成する背面側フレーム１２の横設部１２ｂには、２つの金具穴（固定具用穴）２４、２５が前後（同図においては左右）に並設されている。上記ボード７には特に補強桟等は設けられていないから、据付作業を行うにはまず上記２つの金具穴２４、２５のうち前側に設けられているボード用金具穴２４に、概略Ｓ字状の固定金具１７の上端部１８を挿通させる。そして上記固定板４の下端側に穿設された挿通穴（図示せず）に作業ネジ１６を挿通させるとともに、この作業ネジ１６を上記固定金具１７の下端部１９に設けられたネジ穴（図示せず）に螺挿する。そして室内側から上記作業ネジ１６をネジ込んで行くと、上記固定金具１７がボード７側に移動して次第にこれを押圧し、固定金具１７の上端部１８と背面側フレーム１２の立垂部１２ａとでボード７を挟持することとなる。すなわち、上記固定金具１７の上端部１８が固定手段の押圧部に相当し、また作業ネジ１６が上記固定手段の作業部に相当するということである。また上記ではボード７に補強桟等は設けられていなかったが、図４に示すようにボード７の開口６に近接して補強桟１０が設けられているような場合には、上記ボード用金具穴２４よりも背面側に穿設された補強桟用金具穴２５に固定金具１７の上端部１８を挿通させて、上記と同様の作業を行えばよい。
【００１７】
さらに図５は、上記室内機について、その下部側の据え付け作業を説明するための斜視図である。室内機下部側の据え付けは、本体ケーシング１の下面側を構成する底板２０に穿設された取付穴２０ａ、２０ａに対し、斜め前方から取付ネジ２２、２２を挿通し、この取付ネジ２２、２２を床面３９に螺着することによって行う。
【００１８】
上記のような床置形空気調和機の室内機では、本体ケーシング１の埋入部３をボード７の開口６から壁９内に埋入させて据え付けるようになっている。従ってこの室内機が室内において占有することとなる床面積を従来よりも減少させることができる。また上記開口６は室内側から本体ケーシング１の前面部２で覆われるから、前面グリル等の特別な部材を用いたり、あらためて仕上げ加工を施したりする必要がなく、従って作業性の向上及びコストダウンを図ることができる。さらに、接続部４をボード７に当接させて据え付けるようになっているから、室内機の据え付けと同時に室内と壁９内との連通を遮断することができる。従って簡易な作業で良好な空調性能を維持することができることとなる。
【００１９】
また上記床置形空気調和機の室内機では、背面側フレーム１２の立垂部１２ａと固定金具１７の上端部１８とでボード７を挟持して据え付けを行うようになっている。従って据付枠等の特別な部材は不要となり、さらに作業性の向上及びコストダウンを図ることができる。またボード７の挟持は作業ネジ１６を室内側からネジ込むことで行えるから、作業性は一段と良好なものとなる。しかもこの固定手段によれば上記立垂部１２ａとボード７との当接が一段と確実なものとなるので、室内と壁９内との連通の遮断も一段と確実なものとできる。さらに埋入部３を壁９内に埋入させた後に金具穴２４、２５から固定金具１７の上端部１８を突出させているので、上記埋入部３の壁９内への埋入を円滑に行うことができる。そして上記金具穴２４、２５はボード用金具穴２４と補強桟用金具穴２５との２つを前後に並設しているので、開口６近傍に補強桟１０がある場合にもない場合にも容易に対応することができる。
【００２０】
また埋入部３にカバー部材５を取り付けると、前面部２の上面及び両側面が、取り付けたカバー部材５の上面及び両側面とそれぞれ連接するようになる。従って埋入部３を壁９内に埋入させずに用いる場合において、その外観性を向上させることができる。このような用い方をすると居室の床面積を大きく占有することとなるのは上述の通りであるが、居室が十分に広く、かつボード７に開口６を設けられない場合等には、上記のような使い方が好都合である。
【００２１】
以上にこの発明の具体的な実施の形態について説明したが、この発明は上記形態に限定されるものではなく、この発明の範囲内で種々変更して実施することができる。上記では、埋入部３を壁９内に埋入させた後、金具穴２４に固定金具１７の上端部１８を下方から挿通させ、その後に作業ネジ１６を螺挿するようにしているが、これは図６に示すような構造としてもよい。すなわち、予め固定金具１７の下端部１９に設けられたネジ穴に作業ネジ１６を螺挿しておき、この作業ネジ１６を中心にして固定金具１７を回動させることにより、その上端部１８が金具穴２４、２５から出没自在となるようにするということである。そして固定金具１７を横倒させて上端部１８を金具穴２４、２５内に没入させた状態にし、埋入部３を壁９内に埋入させる。その後上記固定金具１７を起立させて上端部１８を金具穴２４、２５から突出させ、室内側から作業ネジ１６をネジ込んで行くのである。このようにすると固定金具１７を手で支持しながら作業ネジ１６を螺挿するという作業を現地で行う必要がなくなるので、さらに作業性を向上させることができる。また上記では埋入部３の奥行き寸法を９５ｍｍとしているが、通常は６０〜１５０ｍｍ程度であるボード７、８の間隔に対応させて、適宜に変更することができる。
【００２２】
（実施形態２）
次にこの発明の床置形空気調和機の室内機の実施形態２について説明するが、この実施形態２が上記実施形態１と異なるのはその固定手段の構造だけであるので、ここでは固定手段の構造に関する事項のみを説明する。図７は、上記固定手段を説明するための断面図である。固定金具２６は概略Ｓ字状であり、その中間部が回動軸２７によって軸支され、ボード７と略直交する方向に回動自在となるよう背面側フレーム１２の横設部１２ｂに設けられている。据付作業を行うには、まずこの固定金具２６を横倒させて、同図（ａ）に示すようにその上端部２６ａを背面側フレーム１２の横設部１２ｂに沿わせ、この状態で本体ケーシング１の埋入部３を壁９内に埋入させる。そして埋入後、同図（ｂ）に示すように上記固定金具２６を回動して起立させ、その下端部２６ｂに作業ネジ２９を挿通させる。そして室内側からこの作業ネジ２９をネジ穴２８（同図（ａ）参照）にネジ込んで行くと、固定金具２６の上端部２６ａがボード７側に移動して次第にこれを押圧し、固定金具２６の上端部２６ａと背面側フレーム１２の立垂部１２ａとでボード７を挟持することとなる。従ってこの場合にも、固定金具２６の上端部２６ａが固定手段の押圧部に相当し、作業ネジ２９が作業部に相当する。
【００２３】
上記実施形態２の床置形空気調和機の室内機においても、接続部４を構成する背面側フレーム１２の立垂部１２ａと固定金具２６の上端部２６ａとでボード７を挟持して据え付けるようになっている。従って据付枠等の特別な部材は不要となり、作業性の向上及びコストダウンを図ることができる。またボード７の挟持は作業ネジ２９を室内側からネジ込むことで行えるから、作業性は一段と良好なものとなる。しかもこの固定構造によれば上記立垂部１２ａとボード７との当接が一段と確実なものとなるので、室内と壁９内との連通の遮断も一段と確実なものとできる。さらに埋入部３を壁９内に埋入させた後に固定金具２６を起立させ、その上端部２６ａを背面側フレーム１２の横設部１２ｂから突出させるようにしているので、上記埋入部３の壁９内への埋入を円滑に行うことができる。
【００２４】
（実施形態３）
次にこの発明の床置形空気調和機の室内機の実施形態３について説明するが、この実施形態３が上記実施形態１と異なるのはその固定手段の構造だけであるので、ここでは固定手段の構造に関する事項のみを説明する。図８は、上記固定手段を説明するための断面図である。固定金具３１は弾性を有する部材で成され、同図（ａ）に示すようにその左端側が取付部３１ｃとなって背面側フレーム１２の立垂部１２ａに取着されている。そしてこの取付部３１ｃから屈曲部を経て当接部３１ｂが設けられているが、この当接部３１ｂは通常の状態では右端側ほど下方に位置するよう傾斜した状態となっている。そしてさらにこの当接部３１ｂの右端側には、右端側ほど上方に位置するよう傾斜して設けられた傾斜部３１ａが形成され、背面側フレーム１２の横設部１２ｂに穿設された金具穴２４の下方に位置している。一方、上記固定金具３１の取付部３１ｃには、室内側（同図に示す左側）からさらに取付部材３２が取着されている。そして押上部材３３の取付片３３ａに挿通された作業ネジ３５が、上記取付部材３２に螺挿されている。この状態では傾斜部３１ａは金具穴２４内の没入しているので、据付作業を行うにはまずこの状態のままで本体ケーシング１の埋入部３を壁９内に埋入させる。そして埋入後、室内側から作業ネジ３５をネジ込んで行くと、上記押上部材３３が上側摺動壁３４ａと下側摺動壁３４ｂとに挟まれながら図における右側に摺動する。すると押上部材３３の右端が固定金具３１の当接部３１ｂに左側から当接し、この当接部３１ｂを次第に上方に押し上げるようになる。そしてさらに作業ネジ３５をネジ込んで押上部材３３を摺動させると、同図（ｂ）に示すように金具穴２４から固定金具３１の傾斜部３１ａが突出し、ボード７を背面側から押圧してこの傾斜部３１ａと背面側フレーム１２の立垂部１２ａとでボード７を挟持することとなる。従ってこの場合には固定金具３１の傾斜部３１ａが固定手段の押圧部に相当し、作業ネジ３５が作業部に相当する。
【００２５】
上記実施形態３の床置形空気調和機の室内機においても、据付枠等の特別な部材を用いることなく、かつ室内側から据え付けが行えるので、作業性の向上及びコストダウンを図ることができる。しかも固定金具３１は予め背面側フレーム１２に取り付けられ、作業ネジ３３のネジ込みによって金具穴２４から出没する構造となっているから、現地で必要な作業はこの作業ネジ３５のネジ込みだけとなる。従って据付作業性を飛躍的に向上させることができる。
【００２６】
（参考例）
図９は、上記固定手段の参考例を説明するための断面図である。背面側フレーム１２の立垂部１２ａには取付穴３６が穿設されている。そしてスペーサ３８を介して作業ネジ３７が上記取付穴３６に挿通され、さらにボード７に螺着されている。これは、特に木ネジ等の螺着が可能なボード７であった場合や、木ネジ等の螺着が可能な補強材を設けた場合に限って採用される参考例である。
【００２７】
【発明の効果】
上記請求項１の床置形空気調和機の室内機では、居室において占有することとなる床面積を減少させることにより、居住性の低下を回避することが可能となる。また外観性を向上させるための特別な部材や作業が不要となるので、作業性を向上させるとともにコストダウンを図ることが可能となる。さらに住宅側では壁に開口を設けるだけでよいので、大幅な住宅の改造を不要とすることが可能となる。また上記床置形空気調和機の室内機では、接続部と壁面とを当接させて据え付けるようにしているので、特別な部材を用いることなく室内と壁内との連通を遮断することが可能となる。さらに上記床置形空気調和機の室内機では、据付枠等の特別な部材を用いることなく据付固定を行うことができるので、さらにコストダウンを図ることが可能となる。また据付時における固定手段に対しての作業が室内側から可能となるので、据付作業性をさらに向上させることが可能となる。
【００２８】
請求項２の床置形空気調和機の室内機では、据付作業において埋入部を円滑に壁内に埋入させることができるので、据付作業性を一段と向上させることが可能となる。
【００２９】
請求項３の床置形空気調和機の室内機では、壁板の厚さが異なる場合や、壁板に例えば補強桟等が取り付けられているときにも確実な据付固定を行うことが可能となる。
【００３０】
請求項４の床置形空気調和機の室内機では、埋入部にカバー部材を取り付けることで前面部とカバー部材とが連接するようになるので、従来通りの床置形空気調和機の室内機として使用するときの外観性を向上させることが可能となる。
【図面の簡単な説明】
【図１】  この発明の床置形空気調和機の室内機の一実施形態を示し、（ａ）はその斜視図であり、（ｂ）は据付状態を示す断面図である。
【図２】  上記室内機を据え付ける壁を示し、（ａ）は正面図であり、（ｂ）は断面図である。
【図３】  実施形態１の床置形空気調和機の室内機に設けられた固定手段を示す断面図である。
【図４】  開口近傍に設けられた補強桟を示す断面図である。
【図５】  上記室内機の下部側の据付作業を説明する斜視図である。
【図６】  上記固定手段の変形例を示す図である。
【図７】  実施形態２の床置形空気調和機の室内機に設けられた固定手段を示す断面図である。
【図８】  実施形態３の床置形空気調和機の室内機に設けられた固定手段を示す断面図である。
【図９】  床置形空気調和機の室内機に設けられた固定手段の参考例を示す断面図である。
【図１０】  従来例の床置形空気調和機の室内機の据付状態を示す斜視図である。
【符号の説明】
１  本体ケーシング
１ａ  吸込口
１ｂ  吹出口
２  前面部
３  埋入部
４  接続部
５  カバー部材
６  開口
７  ボード
９  壁
１６  作業ネジ
１８  上端部
２１  熱交換器
２４  ボード用金具穴
２５  補強桟用金具穴
【図１】
0003840582.tif 000002
【図２】
0003840582.tif 000003
【図３】
0003840582.tif 000004
【図４】
0003840582.tif 000005
【図５】
0003840582.tif 000006
【図６】
0003840582.tif 000007
【図７】
0003840582.tif 000008
【図８】
0003840582.tif 000009
【図９】
0003840582.tif 000010
【図１０】
0003840582.tif 000011